(57)【要約】【課題】  一度設定した調整項目を再調整する時の操作性を向上させる。【解決手段】  液晶パネル５を備え、複数の調整項目の少なくとも１つを前記液晶パネル５に表示するとともに、当該調整項目に対して調整可能に構成されたカーオーディオ装置１であって、少なくとも最後に調整が行われた調整項目を記憶するＲＡＭ１０３と、前記ＲＡＭ１０３に記憶された調整項目を前記液晶パネル５に表示するためのＲＥＣＥＮＴキー２１０とを具備する構成とした。【選択図】      図５
2006182147.tif 000002
【特許請求の範囲】
【請求項１】
表示手段を備え、複数の調整項目の少なくとも１つを前記表示手段に表示するとともに、当該調整項目をユーザが調整可能に構成され、車輌に搭載される車載用電子機器であって、
少なくとも最後に調整が行われた調整項目を記憶する記憶手段と、
前記記憶手段に記憶された調整項目を前記表示手段に表示するための操作手段と
を具備することを特徴とする車載用電子機器。
【請求項２】
前記記憶手段は、調整が行われた前記調整項目を、調整が行われた順序と対応付けて記憶するとともに、前記操作手段が操作されるごとに、調整が行われた順番に前記表示手段に前記調整項目を表示する
ことを特徴とする請求項１に記載の車載用電子機器。
【請求項３】
表示手段を備え、複数の調整項目の少なくとも１つを前記表示手段に表示するとともに、当該調整項目をユーザが調整可能に構成され、車輌に搭載される車載用電子機器を制御する制御方法であって、
少なくとも最後に調整が行われた調整項目を記憶し、操作手段が操作された場合に、最後に調整された調整項目を前記表示手段に表示する
ことを特徴とする車載用電子機器の制御方法。
【発明の詳細な説明】
【技術分野】
【０００１】
本発明は、車輌に搭載される車載用電子機器、および、その制御方法に係り、特に、操作性を向上させるための技術に関する。
【背景技術】
【０００２】
近年、技術の高度化を背景として、電子機器が多機能化しており、そのための調整項目も増えている。一般に、電子機器は、これらの調整項目を複数のカテゴリーに分類して記憶し、ユーザが調整項目を調整する際には、先ず、これらのカテゴリーを表示する。そして、ユーザによって所望の調整項目を含むカテゴリーが選択されると、電子機器は、そのカテゴリーに属する調整項目を表示するように構成されている（例えば、特許文献１）。
ところで、１つのカテゴリーに属する調整項目が多数ある場合、車載用電子機器にあっては、表示領域が限られていることから、それらの調整項目を全部１度に表示することはできず、調整項目を１つだけ表示し、操作キーが操作されるごとに、表示する調整項目を順次切り替えている。
【特許文献１】特開２００３−２４４７７０号公報
【発明の開示】
【発明が解決しようとする課題】
【０００３】
しかしながら、ユーザが一度調整を行った調整項目に対して、再調整を行う場合、再びカテゴリーを選択した後、所望の調整項目が表示されるまで操作キーを操作するといったことを繰り返し行う必要があり、操作が面倒であるといった問題があった。
本発明は、上述した事情に鑑みてなされたものであり、一度設定した調整項目を再調整する時の操作性を向上させることのできる車載用電子機器、および、その制御方法を提供することを目的とする。
【課題を解決するための手段】
【０００４】
上記目的を達成するために、本発明は、表示手段を備え、複数の調整項目の少なくとも１つを前記表示手段に表示するとともに、当該調整項目をユーザが調整可能に構成され、車輌に搭載される車載用電子機器であって、少なくとも最後に調整が行われた調整項目を記憶する記憶手段と、前記記憶手段に記憶された調整項目を前記表示手段に表示するための操作手段とを具備することを特徴とする。
【０００５】
また本発明は、上記発明において、前記記憶手段は、調整が行われた前記調整項目を、調整が行われた順序と対応付けて記憶するとともに、前記操作手段が操作されるごとに、調整が行われた順番に前記表示手段に前記調整項目を表示することを特徴とする。
【０００６】
また上記目的を達成するために、本発明は、表示手段を備え、複数の調整項目の少なくとも１つを前記表示手段に表示するとともに、当該調整項目をユーザが調整可能に構成され、車輌に搭載される車載用電子機器を制御する制御方法であって、少なくとも最後に調整が行われた調整項目を記憶し、操作手段が操作された場合に、最後に調整された調整項目を前記表示手段に表示することを特徴とする。
【発明の効果】
【０００７】
本発明によれば、一度設定した調整項目を再調整する時の操作性を向上させることができる。
【発明を実施するための最良の形態】
【０００８】
以下、図面を参照しつつ本発明の実施の形態について説明する。
図１は本実施の形態に係る車載用電子機器の一態様たるカーオーディオ装置１の正面図であり、図２は当該カーオーディオ装置１の装置本体２の正面図である。図１に示すように、カーオーディオ装置１の正面（フロント部分）には、着脱可能コントロールパネル（以下、ＤＣＰ（Detachable Control Panel）という）３が装置本体２に対して取り外し自在に取り付けられる。
【０００９】
ＤＣＰ３は、カーオーディオ装置１の表示手段および操作手段として機能するものであり、ＤＣＰケース４と、液晶パネル５と、当該液晶パネル５上に設けられたタッチパネル６と、液晶パネル５の左右両側に配設された複数の操作キー７とを有している。液晶パネル５の上下縁部には上フレーム８Ａおよび下フレーム８Ｂが設けられ、これら上フレーム８Ａおよび下フレーム８Ｂにより液晶パネル５が挟持される。また下フレーム８Ｂには液晶パネル５との隣接部分に沿ってほぼ等間隔に凹部９が４箇所形成されている。これら凹部９は、タッチパネル６上の操作箇所を案内するものである。具体的には、液晶パネル５には、これら４箇所の凹部９に対応して４つの操作ボタンアイコン１０が表示され、ユーザが下フレーム８Ｂ上で指を摺動させれば、液晶パネル５に表示された操作ボタン１０の位置を凹部９の位置から察することができるようになっている。したがって、ユーザは液晶パネル５を見なくとも、タッチパネル６の操作を容易に行うことができる。
【００１０】
さらに、図１に示すように、液晶パネル５の左右両縁のそれぞれには、上下に延びるガイド片１１が設けられている。これらのガイド片１１は、上記下フレーム８Ｂの凹部９と同様に、タッチパネル６上の操作箇所を案内するものである。具体的には、液晶パネル５の左右両縁付近には、液晶画面５に表示されている表示項目を順次変更するためのスクロール操作アイコン１２が表示されており、ユーザはガイド片１１を頼りにスクロール操作アイコン１２を操作することができる。すなわち、ユーザがガイド片１１に沿ってタッチパネル６上を指で摺摩することで、スクロール操作アイコン１２が操作され、表示項目が順次変更される。
【００１１】
ＤＣＰ３が複数の操作キー７を備えることは上述の通りであるが、これらの操作キー７として、電源・ボリュームキー７Ａ、ソースボタン７Ｂ、オープン・イジェクトボタン７Ｃ、アジャストボタン７Ｄ、モードボタン７Ｅ、サウンドボタン７Ｆ、および、ＩＳＲボタン７Ｇが設けられている。電源・ボリュームキー７Ａはロータリーキースイッチとして構成され押下操作によって電源がオン・オフし、また、回転操作によってボリューム（音量）が調整される。ソースボタン７Ｂは音源ソースを切り換えるための押下式ボタンであり、押下の度に、再生する音源ソースが切り換えられる。音源ソースとしては、装置本体１に内蔵されたラジオ音源やＣＤ（Compact Disc）音源、装置本体２に通信可能に接続されたＣＤチェンジャーやＤＶＤ（Digital Versatile Disk）チェンジャー、および、外部音声入力端子から入力される外部音声などが用いられている。
【００１２】
オープン・イジェクトボタン７ＣはＤＣＰ３を開くための押下式ボタンであり、ＤＣＰ３が閉じた状態でオープン・イジェクトボタン７Ｃが押下されると、ＤＣＰ３が図示せぬリンク機構により装置本体１から押し出されるように傾倒して開状態となり、装置本体２の正面（フロント部分）が露出する。図２に示すように、装置本体２の正面にはＣＤの挿入口２０が設けられており、ＤＣＰ３を開状態とすることで装置本体２へのＣＤの挿脱が可能となる。また、ＤＣＰ３が開いた状態で上記オープン・イジェクトボタン７Ｃを操作した場合には、挿入口２０からのＣＤの排出動作が行われる。さらに、ＤＣＰ３が開状態となった場合には、所定時間経過後に、図示せぬリンク機構が作動して、自動で閉状態となる。
【００１３】
アジャストボタン７Ｄは装置本体２の各種の設定や調整をするときに使用される操作ボタンである。モードボタン７Ｅは例えばＣＤ再生時の再生モードを設定するための押下式ボタンであり、押下の度に、リピート再生やランダム再生といった再生モードが切り替わり設定される。また、当該モードボタン７Ｅが長押操作された場合には、液晶パネル５の表示が標準表示とデザインを省略して視認性を向上させたシンプル表示との間で表示が切り換えられる。サウンドボタン７Ｆは音響に関する各種の設定や調整をするときに使用される操作ボタンである。ＩＳＲボタン７Ｇは現在の音源ソースの選択状態にかかわらず、特定のラジオチャンネルを受信してラジオ音声を出力させるための操作ボタンである。
【００１４】
また、ＤＣＰ３の正面には、車室内の明るさを感知するフォトセンサの受光窓１３と、リモートコントローラからの信号を受光するための受光窓１４とが設けられている。本カーオーディオ装置１にあっては、上記フォトセンサで感知した車室内の明るさに応じて液晶パネル５のバックライトの輝度が調整されるようになっている（いわゆる、オートディマー機能）。
【００１５】
このＤＣＰ３は、上記のように、装置本体２から取り外し可能になっており、その構造について説明すると、図３に示すように、ＤＣＰ３の背面には、２つの係合突起３０Ａ、３０Ｂと１つの係合受け３１とが形成されると共にコネクタ接点３２が形成され、また、図２に示すように、装置本体２の正面には、上記ＤＣＰ３を取り付けるための支持プレート２１が設けられ、この支持プレート２１上に２つの係合受け２２Ａ、２２Ｂと、１つの係合突起２３と、コネクタ接点２４とが形成されている。この構成の下、ＤＣＰ３の背面の係合受け３１を装置本体２の支持プレート２１上の係合突起２３に押し込んで、ＤＣＰ３の一端側を装置本体２に係合させた後、ＤＣＰ３の背面の係合突起３０Ａ、３０Ｂ及びコネクタ接点３２をそれぞれ装置本体２の係合受け２２Ａ、２２Ｂ及びコネクタ接点２４に押し込んで係合させることで、ＤＣＰ３が装置本体２の正面に取り外し自在に取り付けられる。
【００１６】
ＤＣＰ３が装置本体２に取り付けられた状態にあっては、上記コネクタ接点３２および２４を介してＤＣＰ３と装置本体２との間で信号の送受が可能となり、これらＤＣＰ３と装置本体２との間で操作キー７の操作に応じた操作信号や、液晶パネル５へ各種情報を表示するための信号等が送受される。
【００１７】
次いで、本カーオーディオ装置１の機能的構成について図４を参照して詳述する。図４はカーオーディオ装置１の装置本体２およびＤＣＰ３の機能的構成を示すブロック図である。この図に示すように、カーオーディオ装置１の装置本体２は、マスターマイコン１００と、ラジオ受信部１１０と、ＣＤ再生部１２０と、音声出力部１２０とを備えている。
マスターマイコン１００は、装置本体２の各部およびＤＣＰ３の制御を実行するものであり、制御手段としてのＣＰＵ１０１や、記憶手段としてのＥＥＰＲＯＭ１０２およびＲＡＭ１０３を備えている。また、ＥＥＰＲＯＭ１０２には、制御用プログラムやメニュー画面などの各種表示用データが格納されている。なお、図示を省略しているが、マスターマイコン１００には、車両のバッテリに直結されたバックアップ電源と、キースイッチを介してバッテリに接続されたＡＣＣ電源とが供給されている。したがって、ＡＣＣ電源がオフの間は、バックアップ電源がマスターマイコン１００に供給されて、ＲＡＭ１０３に格納したデータが保持される。
【００１８】
ラジオ受信部１１０は、ＡＭ／ＦＭ波のラジオ放送を受信するものであり、アンテナ１１１と、チューナ回路１１２とを備え、チューナ回路１１２がマスターマイコン１００の指示に基づいて所定チャンネルのラジオ放送を受信し、音声信号を音声出力部１２０に出力する。ＣＤ再生部１２０は、マスターマイコン１００の制御の下、ＣＤに記録されている音楽データを読み取り、音声信号を音声出力部１３０に出力するＣＤ読取部１２１を備えている。
【００１９】
音声出力部１３０は、マスターマイコン１００の制御の下、ラジオ受信部１１０及びＣＤ再生部１２０の各々からの音声信号に基づいて音声を出力するものであり、ＤＳＰ（Digital Signal Processor）１３１と、音量を調整する電子ボリューム回路１３２とを備えている。ＤＳＰ１３１は、マスターマイコン１００の制御の下、音声信号に対して、例えばフィルタ処理やイコライザ処理、音声信号が符号化されている場合にはデコード処理といったデジタル音声信号処理を施して電子ボリューム回路１３２に出力するものであり、電子ボリューム回路１２１は、マスターマイコン１００の制御の下、再生音量を調整すべく、音声信号をＤ／Ａ変換した後に信号の振幅レベルを調整して出力するものである。また、ＤＳＰ１３１には、上記ラジオ受信部１１０及びＣＤ再生部１２０のほかにも、例えば図示せぬカーナビゲーション装置といった外部機器からの外部音声信号が入力可能に構成されている。
【００２０】
ここで、本カーオーディオ装置１には、例えば２線の同軸ケーブルからなるＲＣＡコネクタを介して外部アンプユニット１６０が接続されており、上記電子ボリューム回路１３２から出力された音声信号がＲＣＡコネクタを介して外部アンプユニット１６０に入力される。外部アンプユニット１６０は複数のスピーカＳＰが接続可能に構成されており、接続可能なスピーカＳＰの最大数（本実施の形態では６）だけのアンプ回路（図示せず）を備え、電子ボリューム回路１３２から入力された音声信号を増幅して、現在接続されている各スピーカＳＰに出力する。なお、アンプ回路やスピーカを装置本体２にも内蔵し、外部アンプユニット１６０を介さずに音声を出力可能に構成しても良いことは勿論である。
【００２１】
ＤＣＰ３は、上記のように、液晶パネル５とタッチパネル６と操作キー７とを備える他、さらに、ＤＣＰ３の各部を制御する表示マイコン１５１と、当該表示マイコン１５１の指示に基づいて液晶パネル５に各種情報表示を行うＬＣＤドライバ１５２とを有している。ＤＣＰ３が装置本体２に装着された場合には、ＤＣＰ３の表示マイコン１５１と装置本体２のマスターマイコン１００とが上記コネクタ接点２４、３２により電気的に接続され、各種信号の授受を行う。例えば操作キー７の一つである電源・ボリュームキー７Ａ（図１参照）が回転操作され、ユーザによりボリューム調整が行われた場合には、かかる回転操作量が図示せぬエンコーダにより検出され、表示マイコン１５１からマスターマイコン１００に送信される。この結果、マスターマイコン１００は、再生音量が電源・ボリュームキー７Ａの回転操作量に応じたボリュームとなるように電子ボリューム回路１３２を制御することとなる。
【００２２】
タッチパネル６には抵抗膜方式のタッチパネルが用いられ、その表面に手などが触れた場合、その接触点の位置座標に応じた電圧の信号が表示マイコン１５１に出力され、かかる信号に基づいて表示マイコン１５１によって接触点座標が特定される。これにより、液晶パネル５に表示されているどの操作ボタンが操作されたかが特定され、その操作に応じた動作が実行される。
【００２３】
ここで、本カーオーディオ装置１にあっては、上記アジャストボタン７Ｄ（図１参照）が押下されると、マスターマイコン１００は、ＥＥＰＲＯＭ１０２から各種設定のための調整メニュー画面２００を読み出し、図５に示すように、当該調整メニュー画面２００を液晶パネル５に表示させる。調整メニュー画面２００には調整項目の大項目が含まれている。この大項目は、調整項目をカテゴリーごとに分類するための項目（いわゆる見出し）であり、本実施の形態では、液晶表示の外観に関する調整項目を示す「ＡＰＰＥＡＲＡＮＣＥ」、音に関する調整項目を示す「ＳＯＵＮＤ」、ラジオチューナに関する調整項目を示す「ＴＵＮＥＲ」、および、その他の調整項目を示す「ＳＥＴＴＩＮＧ」の４つの大項目が用いられている。それぞれの大項目には、図６に示すように、具体的な調整項目が対応付けられてＥＥＰＲＯＭ１０２に格納されている。例えば、「ＡＰＰＥＡＲＡＮＣＥ」には、時計の調整項目である「ＣＬＯＣＫ」や上記ディマー機能の輝度レベルの調整項目である「ＤＭＲ＿ＬＥＶＥＬ」などが設けられている。なお、本実施の形態では、調整項目のカテゴリーを示す大項目のそれぞれに複数の調整項目を分類する構成としたが、大項目の下に中項目を設け、その中項目のそれぞれに調整項目を対応付けた、いわゆる階層構造としても良い。
【００２４】
さて、本実施の形態では、上記調整メニュー画面２００が表示されている状態で、いずれかの大項目がタッチ操作された場合には、その大項目に属する調整項目の最初の項目が表示され、そして、上記スクロール操作アイコン１２が操作されるごとに、次の調整項目に循環的に表示が切り換わるようになっている。
【００２５】
また、調整メニュー画面２００には、直近に設定された調整項目をダイレクトに読み出すための操作キーであるＲＥＣＥＮＴキー２１０が設けられている。すなわち、このＲＥＣＥＮＴキー２１０が押下されると、ユーザが最後に調整した調整項目がダイレクトに表示され、その調整項目に対して調整ができるようになっている。詳細には、上記調整項目が調整された場合、マスターマイコン１００は、その調整項目と、調整された後の調整内容とを互いに対応付けてＲＡＭ１０３に格納して記憶させる。このとき、他の調整項目および調整内容が既にＲＡＭ１０３に格納されている場合には、マスターマイコン１００は、その調整項目および調整内容を、今回調整された調整項目および調整内容に書き換えることで、最後に調整された調整項目および調整内容をＲＡＭ１０３に格納して記憶させる。
【００２６】
以上の構成の下、ユーザが例えば、大項目「ＴＵＮＥＲ」に属する調整項目「ＴＵＮＥＲ  ＡＲＥＡ」に対して設定を行った後、再度、この調整項目「ＴＵＮＥＲ  ＡＲＥＡ」に対する調整を行う場合には、次のように操作することになる。すなわち、図７に示すように、アジャストボタン７Ｄを操作して、液晶パネル５に調整メニュー画面２００を表示させ、大項目「ＴＵＮＥＲ」をタッチ操作により選択する（ステップＳ１）。この結果、マスターマイコン１００は、大項目「ＴＵＮＥＲ」に属する先頭の調整項目をＥＥＰＲＯＭ１０２から読み出して、液晶パネル５に表示する。このとき、マスターマイコン１００は、スクロール操作アイコン１２も併せて液晶パネル５に表示する。
【００２７】
このように、大項目「ＴＵＮＥＲ」に属する調整項目が液晶パネル５に表示されている状態の下、ユーザは、調整項目「ＴＵＮＥＲ  ＡＲＥＡ」が表示されるまでスクロール操作アイコン１２を操作し（ステップＳ２）、調整項目「ＴＵＮＥＲ  ＡＲＥＡ」が表示された場合に、その調整項目「ＴＵＮＥＲ  ＡＲＥＡ」を調整する（ステップＳ３）。このとき、マスターマイコン１００は、調整された調整項目および調整内容をＲＡＭ１０３に格納して記憶させ、また、既に他の調整項目および調整内容が格納済みである場合には、それを今回調整された調整項目および調整内容により書き換える。
【００２８】
そして、ユーザは、調整項目の調整が完了した後、再度、アジャストボタン７Ｄを操作するなどして、調整のための画面から通常の画面に表示を切り替えさせる（ステップＳ４）。
その後、ユーザが前回と同じ調整項目を調整する場合には、アジャストボタン７Ｄを操作して液晶パネル５に調整メニュー画面２００を表示させた後、ＲＥＣＥＮＴキー２１０をタッチ操作する（ステップＳ５）。この結果、マスターマイコン１００は、ＲＡＭ１０３に格納されている調整項目および調整内容を読み出し、それを液晶パネル５に表示する。これにより、ユーザが最後に調整した調整項目が調整メニュー画面２００からダイレクトに表示され、ユーザは、上記ステップＳ３〜Ｓ４の手順で、その調整項目に対して再度調整を行うことができる。
【００２９】
このように、本実施の形態によれば、最後に調整が行われた調整項目をＲＡＭ１０３に格納して記憶するとともに、当該ＲＡＭ１０３に格納された調整項目をダイレクトに液晶パネル５に表示するためのＲＥＣＥＮＴキー２１０を備える構成としたため、ユーザは、ＲＥＣＥＮＴキー２１０を操作するだけで、最後に調整した調整項目をダイレクトに液晶パネル５に表示させることができ、当該調整項目を再調整することができる。これにより、ユーザは、最後に調整した調整項目が液晶パネル５に表示されるまで多数の操作を繰り返す必要がなく、再調整時の手間を大幅に削減することができ、以って、再調整時の操作性を向上させることができる。
【００３０】
また、最後に調整項目を調整したときから比較的長い時間が経過し、ユーザが最後に調整した調整項目を忘れてしまった場合であっても、ＲＥＣＥＮＴキー２１０を操作することで、最後に調整した調整項目を確認することができる。
【００３１】
なお、上述した実施の形態は、あくまでも本発明の一態様を示すものであり、本発明の範囲内で任意に変形および応用可能である。
例えば、上述した実施の形態では、最後に調整された調整項目をＲＡＭ１０３に格納し、ＲＥＣＥＮＴキー２１０の操作によって、その調整項目を液晶パネル５に表示する構成としたが、これに限らず、調整が行われた調整項目を、調整が行われた順序と対応付けてＲＡＭ１０３に格納しておき、ＲＥＣＥＮＴキー２１０が操作されるごとに、調整が行われた順番に液晶パネル５に調整項目を１つずつ表示する構成としても良い。
【００３２】
また例えば、上述した実施の形態では、車載用電子機器の一例としてカーオーディオ装置を例示したが、これに限らず、車載に搭載される車載用電子機器であれば本発明を適用することができ、例えば、カーナビゲーション装置などに本発明を適用しても良い。
【図面の簡単な説明】
【００３３】
【図１】本発明の実施の形態に係るカーオーディオ装置の正面図である。
【図２】同装置本体の正面図である。
【図３】同ＤＣＰの背面図である。
【図４】カーオーディオ装置の機能的構成を示すブロック図である。
【図５】調整メニュー画面の構成の一態様を模式的に示す図である。
【図６】調整項目の分類を示す図である。
【図７】調整項目を調整する際の手順を示すフローチャートである。
【符号の説明】
【００３４】
１  カーオーディオ装置
２  装置本体
３  ＤＣＰ
５  液晶パネル
６  タッチパネル
７  操作キー
７Ｄ  アジャストボタン
１００  マスターマイコン
１０１  ＣＰＵ
１０３  ＲＡＭ
２００  調整メニュー画面
２１０  ＲＥＣＥＮＴキー
【図１】
2006182147.tif 000003
【図２】
2006182147.tif 000004
【図３】
2006182147.tif 000005
【図４】
2006182147.tif 000006
【図５】
2006182147.tif 000007
【図６】
2006182147.tif 000008
【図７】
2006182147.tif 000009